(57)【特許請求の範囲】
【請求項１】
パチンコ機の遊技盤面に打出された遊技球を入賞装置内に受入れる上方の入賞口と、該入賞口に入った入賞球が導入された場合に通常の利益を設定する下部左右の第１、第２の通常入賞領域と、同じく入賞球が導入された場合に特別の利益を設定する下部中央の特別入賞領域と、を備えたパチンコ機の入賞装置であって、
前記入賞口の下方に連通して開設された入賞球用の通過口の直下に、入賞球を左右何れかに振り分けて落下させ得る第１、第２の振り分け位置を左右に区分して形成した振り分け部材が設けられ、
前記振り分け部材の第１の振り分け位置と前記第１の通常入賞領域との上下間に、入賞球を落下し得る第１の一般通路が形成される一方、前記第２の振り分け位置と前記第２の通常入賞領域との上下間に、入賞球を落下し得る第２の一般通路が形成され、
前記振り分け部材の下部に、前記第１の振り分け位置から前記第１の一般通路に向けて落下する入賞球を、または前記第２の振り分け位置から前記第２の一般通路に向けて落下する入賞球を、前記第１の通常入賞流域への、または第２の通常入賞流域への通行を許容し得る一方、前記特別入賞領域へ誘導し得る球誘導部材が装備されるとともに、該球誘導部材が駆動用モータ及び伝動部材により前記第１、第２の一般通路間内に亘る左右方向に往復揺動可能に設定され、
前記球誘導部材には、前記振り分け部材の第１、第２の振り分け位置の直下方に対して入口を非整合又は整合連絡し得、前記特別入賞領域に対して出口を連絡する入賞球用の特別通路が形成されており、
前記球誘導部材は左右方向への往復揺動行程において、前記特別通路の入口が、前記振り分け部材の第１、第２の振り分け位置の直下方に対して、非整合となる球受け不能位置と、整合連絡し得る球受け可能位置とを含めて変移されるように設定されたことを特徴とするパチンコ機の入賞装置。
【発明の詳細な説明】
【０００１】
【産業上の利用分野】
この発明はパチンコ機の入賞装置に関する。
【０００２】
【従来の技術】
入賞球の落入時に遊技者に通常の利益を与える通常入賞領域と、入賞球の落入時に遊技者に特別の利益を与える特別入賞領域とを有する入賞装置では、この入賞装置の入賞口に入賞した入賞球は通常入賞領域若しくは特別入賞領域に振り分けられる。
【０００３】
【発明が解決しようとする課題】
本発明は入賞口に入賞した入賞球を通常入賞領域若しくは特別入賞領域に振り分ける振り分け態様に関して新規な趣向を加えることを課題とするものである。
【０００４】
【課題を解決するための手段】
請求項１の発明は、パチンコ機の遊技盤面に打出された遊技球を入賞装置内に受入れる上方の入賞口と、該入賞口に入った入賞球が導入された場合に通常の利益を設定する下部左右の第１、第２の通常入賞領域と、同じく入賞球が導入された場合に特別の利益を設定する下部中央の特別入賞領域と、を備えたパチンコ機の入賞装置であって、
前記入賞口の下方に連通して開設された入賞球用の通過口の直下に、入賞球を左右何れかに振り分けて落下させ得る第１、第２の振り分け位置を左右に区分して形成した振り分け部材が設けられ、
前記振り分け部材の第１の振り分け位置と前記第１の通常入賞領域との上下間に、入賞球を落下し得る第１の一般通路が形成される一方、前記第２の振り分け位置と前記第２の通常入賞領域との上下間に、入賞球を落下し得る第２の一般通路が形成され、
前記振り分け部材の下部に、前記第１の振り分け位置から前記第１の一般通路に向けて落下する入賞球を、または前記第２の振り分け位置から前記第２の一般通路に向けて落下する入賞球を、前記第１の通常入賞流域への、または第２の通常入賞流域への通行を許容し得る一方、前記特別入賞領域へ誘導し得る球誘導部材が装備されるとともに、該球誘導部材が駆動用モータ及び伝動部材により前記第１、第２の一般通路間内に亘る左右方向に往復揺動可能に設定され、
前記球誘導部材には、前記振り分け部材の第１、第２の振り分け位置の直下方に対して入口を非整合又は整合連絡し得、前記特別入賞領域に対して出口を連絡する入賞球用の特別通路が形成されており、
前記球誘導部材は左右方向への往復揺動行程において、前記特別通路の入口が、前記振り分け部材の第１、第２の振り分け位置の直下方に対して、非整合となる球受け不能位置と、整合連絡し得る球受け可能位置とを含めて変移されるように設定されたことを特徴とする。
【０００５】
【作用】
請求項１の発明では、入賞口に入った落入した入賞球は通過口内を通って振り分け部材に一旦落下し、左右の第１、第２の振り分け位置の何れかに振り分けられる。そして、第１の振り分け位置に振り分けられた入賞球は、第１の一般通路に落下して下方の第１の通常入賞領域に向けて通行する。また、第２の振り分け位置に振り分けられた入賞球は、第２の一般通路に落下して下方の第２の通常入賞領域に向けて通行する。
一方、振り分け部材の下方には、特別入賞領域に通じる特別通路が形成された球誘導部材が左右方向への往復揺動可能に装備されている。この球誘導部材の往復揺動行程において、第１の振り分け位置に振り分けられた入賞球が第１の一般通路に向けて落下する際、球誘導部材の特別通路の入口が、第１の振り分け位置の直下方に対して非整合となる球受け不能位置にあって入賞球を受け入れない場合には該入賞球は、そのまま下方の第１の通常入賞領域に通行する。これに対して特別通路の入口が、第１の振り分け位置の直下方に対して整合連絡し得る球受け可能位置にあって入賞球を受け入れた場合には該入賞球は、そのまま特別通路に誘導されて出口から特別入賞領域へ導入される。
一方、第２の振り分け位置に振り分けられた入賞球が第２の一般通路に向けて落下する際、球誘導部材の特別通路の入口が、第２の振り分け位置の直下方に対して非整合となる球受け不能位置にあって入賞球を受け入れない場合には該入賞球は、そのまま下方の第２の通常入賞領域に通行する。これに対して特別通路の入口が、第２の振り分け位置の直下方に対して整合連絡し得る球受け可能位置にあって入賞球を受け入れた場合には該入賞球は、そのまま特別通路に誘導されて出口から特別入賞領域へ導入される。
【０００６】
【発明の効果】
請求項１によれば、入賞口に入った入賞球は、その後一旦、振り分け部材によって左右の第１、第２の振り分け位置の何れかに振り分けられ、第１の一般通路あるいは第２の一般通路に向けて落下する。そして入賞球は第１、第２の一般通路間内に亘り往復揺動される球誘導部材の特別通路に受け入れられない場合には、そのまま下方の第１、第２の通常入賞領域の何れかに落下して導出される。一方、前記入賞球は球誘導部材の特別通路に受け入れられた場合には、同特別通路から特別入賞領域に導入される。これにより、一度消滅したかに思われた利益を復旧させて特別入賞領域への入賞態様に関連してパチンコゲームに新規な趣向を加えることができ、利益を受ける状態の成立に対する期待感を維持しながらゲ−ムを進行させることができる。
【０００７】
しかも、第１、第２の振り分け位置の何れかに振り分けられた入賞球が落下するタイミングと、球誘導部材がその一般通路側の揺動位置へ揺動するタイミングとが一致すると、特別入賞領域への入賞が成立するので、入賞による充足感および会心感を高めてゲ−ムを進行させることができる。
【０００８】
【実施例】
次に、本発明の１実施例を図面にしたがって説明する。
パチンコ機の遊技盤１において、その中央部には入賞装置Ｎの上方には天入賞口２ａを有する天入賞装置２と、特定入賞口３ａを有する普通電動役物３とが設置されている。
【０００９】
入賞装置Ｎの両側方にはゲ−ム中右回りに回転する左回転体４ａおよび通過口４ｂ，４ｃを有する左振り分け装置４と、ゲ−ム中右回りに回転する右回転体５ａおよび通過口５ｂ，５ｃを有する右振り分け装置５とが設置され、入賞装置Ｎの下方にはゲ−ト６と、大入賞口８，始動口入賞数表示ＬＥＤ９，大入賞口入賞数表示ＬＥＤ１０を有する下入賞装置７とが設置されている。
【００１０】
ゲ−ト６の左方には左球通過装置１１と、左入賞口１２ａを有する左入賞装置１２とが設置され、ゲ−ト６の右方には右球通過装置１３と、右入賞口１４ａを有する右入賞装置１４とが設置され、下入賞装置７の左方には始動口１６を有する始動入賞装置１５が設置され、下入賞装置７の右方には右下入賞口１７ａを有する右下入賞装置１７が設置されている。
【００１１】
ゲ−ム中遊技盤面１ａに打出された遊技球がゲ−ト６を通過すると、普通電動役物３の特定入賞口３ａが０．５秒間開放される。
但し、特定入賞口３ａはその開放中に遊技球がゲ−ト６を通過しても再度開放されない。
【００１２】
入賞装置Ｎにおいて、入賞ケ−ス２０にはほぼ円筒状に形成された胴壁部２１が形成され、この胴壁部２１の外周面の前後方向中央部には遊技盤面１ａにねじ止めされるベ−ス板２２が連接されている。
【００１３】
胴壁部２１の後端縁の上部および中央部付近にはベ−ス板２２の開口部の後方に垂直状に設置された上後壁板２３が連接され、この上後壁板２３の後下方には下後壁板２４が垂直状に設置され、上後壁板２３の下端中央部には円弧状に湾曲した挿通孔２３ａが開設され、下後壁板２４の前面の中央部付近にはく形状および逆く形状に曲折した左右１対の仕切り壁２４ａが突出形成されている。
【００１４】
胴壁部２１の前部上端には遊技盤面１ａの前側に配設されて特定入賞口３ａに入賞した入賞球を入賞ケ−ス２０内に受入れる入賞口２５が開設され、胴壁部２１の後部上端には入賞口２５に連通されて入賞口２５の後下方に配設された通過口２６が開設されている。
【００１５】
入賞ケ−ス２０の上後壁板２３の前面の上部には入賞口２５に入賞した入賞球を２つの球通路の何れか一方に振り分ける振り分け部材２７が連接されている。
【００１６】
振り分け部材２７の左右方向中央部には通過口２６の直下に配設されて上面の断面形状が扁平山形状の隔壁２７ａが形成され、この隔壁２７ａの両側縁には正面形状がほぼＣ型状およびほぼ逆Ｃ形状に形成されて左右１対のガイド壁２７ｂの内端縁がそれぞれ連接され、この両ガイド壁２７ｂ内には入賞球が隔壁２７に衝突した後で転落する第１，第２の振り分け位置２８Ａ，２８Ｂが形成されている。振り分け部材２７の後端には隔壁２７ａおよび両ガイド壁２７ｂの後端縁がそれぞれ連接された壁板２７ｃが垂直状に形成されている。
【００１７】
胴壁部２１の下端に後下り状に形成された底板２９の左右部には底板２９の上面に突設された仕切り片２９ｃで仕切られた左右１対の誘導部２９ａ，２９ｂが形成されている。
【００１８】
底板２９の両誘導部２９ａ，２９ｂの後側には入賞球の落入時に通常の利益を設定する第１通常入賞領域３０Ａおよび第２通常入賞領域３０Ｂが開設されている。
【００１９】
第１の振り分け位置２８Ａと第１通常入賞領域３０Ａとの間には第１の振り分け位置２８Ａへ振り分けられた入賞球が第１の振り分け位置２８Ａから転がり落ちて左側の誘導部２９ａ上を転動し、第１通常入賞領域３０Ａに落入するまでに通行する第１の一般通路３１Ａが形成されている。
【００２０】
第２の振り分け位置２８Ｂと第２通常入賞領域３０Ｂとの間には第２の振り分け位置２８Ｂへ振り分けられた入賞球が第２の振り分け位置２８Ｂから転がり落ちて右側の誘導部２９ｂ上を転動し、第２通常入賞領域３０Ｂに落入するまでに通行する第２の一般通路３１Ｂが形成されている。
【００２１】
入賞口２５を通り抜けた入賞球は全て第１，第２の一般通路３１Ａ，３１Ｂの何れか一方に振り分けられる。
【００２２】
底板２９の左右方向中央部の後側には両通常入賞領域３０Ａ，３０Ｂ間に配設されて入賞球の落入時に特別の利益を設定する特別入賞領域３２が開設されている。
【００２３】
特別入賞領域３２には入賞ケ−ス２０の下後壁板２４の下端に挿通されて特別入賞領域３２を通り抜けた入賞球を検出する特別装置作動スイッチ３５の検出口３５ａが設置されている。
【００２４】
入賞球が特別入賞領域３２を通り抜けて特別装置作動スイッチ３５によって検出されると、特別装置が作動し、この特別装置の作動中に遊技球が始動口１６に入賞すると、大入賞口８が９．８秒間開放され、遊技者に特別の利益を与える状況が出現する。
【００２５】
入賞ケ−ス２０内の下部で振り分け部材２７の下方には入賞球を特別入賞領域３２へ誘導する特別通路３４が内部に形成された球誘導部材３３がその下端部を揺動支点とする左右方向への揺動動作可能に設置されている。
【００２６】
球誘導部材３３には縦断面形状がＵ形状で前端が閉塞されて後端縁が特別入賞領域３２の前上方に隣設された誘導樋３３ａと、胴壁部２１内の前部下端に前後方向に沿って横架された支軸５３が挿通され、球誘導部材３３の下端に配設された円筒状の軸挿部３３ｂと、誘導樋３３ａの中央部上に立設された飾り板３３ｃと、この飾り板３３ｃに挿着されて後方へ水平状に延出され、上後壁板２３の挿通孔２３ａに挿通された連結軸３３ｄとが形成されている。
【００２７】
特別通路３４の前部には球誘導部材３３の飾り板３３ｃの前側に隣設されて球誘導部材３３の揺動動作によって左右方向へ円弧移動する通路入口３４ａが開口され、通路入口３４ａに導入された入賞球は全て特別通路３４を通り、球誘導部材３３の誘導樋３３ａの後端縁から転がり落ちて下後壁板２４の仕切り壁２４ａで案内されて特別入賞領域３２へ導入される。
【００２８】
入賞ケ−ス２０の両後壁板２３，２４の後面には後方へ突出された３個の取付け軸３６と上下２対のガイド軸３７とが連接され、各取付け軸３６の後端には入賞ケ−ス２０の後側に垂直状に設置された円盤状の後ベ−ス板３８が結合されている。
【００２９】
後ベ−ス板３８の後面の上端にはパチンコ機の電源投入時に起動されるモ−タ３９が前向き状に取付けられ、このモ−タ３９の出力軸３９ａには駆動ピン４０ａが前面の周縁部に突設された円盤状のカム４０が固定されている。
【００３０】
入賞ケ−ス２０と後ベ−ス板３８との間には各ガイド軸３７によって左右方向への水平スライド可能に支持されてカム４０の回転動作を水平移動動作に変換して球誘導部材３３に伝える伝動部材４１が設置されている。
【００３１】
伝動部材４１の左右部には各ガイド軸３７の後端がそれぞれ係合された上下２対の横長状に係合孔４１ａが貫設され、伝動部材４１の左右方向中央部には駆動部材４０の駆動ピン４０ａが挿入された縦長状の上伝動溝４１ｂと、球誘導部材３３の連結軸３３ｄの後端部が挿入された縦長状の下伝動溝４１ｃとが凹設されている。
【００３２】
伝動部材４１の下端には球誘導部材３３が左右の揺動端位置および中立位置へ揺動したときに図示しないフォトセンサによって検出される左右１対の被検出片４１ｄが隙間を隔てて突出形成されている。
【００３３】
モ−タ３９およびカム４０が回転すると、伝動部材４１が駆動ピン４０ａによって押動されて左右方向へ往復移動し、球誘導部材３３の連結軸３３ｄが伝動部材４１によって押動されて左右方向へ円弧移動し、球誘導部材３３がカム４０の１回転毎に左右方向へ往復揺動する。
【００３４】
伝動部材４１はその移動行程の中間部付近では速い速度で移動して両移動端付近では遅い速度で移動し、球誘導部材３３はその揺動行程の中立部付近では速い速度で揺動して両揺動端付近では遅い速度で揺動し、中立部を速い速度で通過して両揺動端を遅い速度で通過する。
【００３５】
球誘導部材３３が左方の揺動端位置へ揺動すると、特別通路３４の通路入口３４ａ全体が第１の振り分け位置２８Ａの直下へ変位して、第１の一般通路３１Ａ内へ侵入し、特別通路３４が第１の一般通路３１Ａに連通されて第２の一般通路３１Ｂから切離される。
【００３６】
この状態では第１の振り分け位置２８Ａから転がり落ちた入賞球は特別通路３４の通路入口３４ａに落入して特別通路３４を通って特別入賞領域３２内に導入され、第２の振り分け位置２８Ｂから転がり落ちた入賞球は第２の一般通路３１Ｂを通って第２通常入賞領域３０Ｂ内に導入される。
【００３７】
球誘導部材３３が右方の揺動端位置へ揺動すると、特別通路３４の通路入口３４ａ全体が第２の振り分け位置２８Ｂの直下へ変位して第２の一般通路３１Ｂ内へ侵入し、特別通路３４が第２の一般通路３１Ｂに連通されて第１の一般通路３１Ａから切離される。
【００３８】
この状態では、第２の振り分け位置２８Ｂから転がり落ちた入賞球は特別通路３４の通路入口３４ａに落入して特別通路３４を通って特別入賞領域３２内に導入され、第１の振り分け位置２８Ａから転がり落ちた入賞球は第１の一般通路３１Ａを通って第２通常入賞領域３０Ａ内に導入される。
【００３９】
球誘導部材３３が左右の揺動端位置間の中間部の中立位置へ揺動すると、特別通路３４の通路入口３４ａが両振り分け位置２８Ａ，２８Ｂ間の中間部の直下に変位し、特別通路３４が両一般通路３０Ａ，３０Ｂから切離されて特別通路３４の通路入口３４ａへの入賞球の落入が不能となる。
【００４０】
入賞ケ−ス２０の上後壁板２３の後面にはその上部に配設された表示灯基板４３と、その右端部に配設された第１ＬＥＤ基板４４と、その左端部に配設された第２ＬＥＤ基板４５とが取付けられ、後ベ−ス板３８の後面には上下２列に配列された複数個のコネクタ５２を備えた中継基板４６が取付けられている。
【００４１】
表示灯基板４３には振り分け部材２７の後壁板２７ｃの後側に設置された３つの表示灯４７が取付けられている。
【００４２】
第１ＬＥＤ基板４４には上下方向へ配列されて上後壁板２３に貫挿された５個の装飾ＬＥＤ４８が取付けられている。
【００４３】
第２ＬＥＤ基板４５には上後壁板２３の前面の一端部に突出形成された方形枠状のＬＥＤ収納部２３ｃ内に装入され、遊技盤面１ａの球受口のうち、遊技球が落入したときにその時点で最も有利となる球受口の位置に関する情報をゲ−ムの進行に伴って切換え表示する表示体（表示ＬＥＤ）５０が取付けられている。
【００４４】
表示体５０はこの表示体５０の設置位置から見た所定の球受口の位置を「↑」，「↓」，「←」，「→」等の記号や図柄の流れ方向によって表示する。
【００４５】
例えば、ゲ−ム開始時，賞品球の払い出し時，遊技球が右下入賞口１７ａに入賞したときなどには、表示体５０は、図１０に示すようにゲ−ト６の位置を指示する「↓」の図柄を含む（１）〜（１２）の図柄を、（１）〜（８）の図柄の切換え時間を０．５１２秒とし、（９）〜（１２）の図柄の切換え時間を１．０２４秒として８．１９２秒の周期で順に移動点滅表示し、表示体５０の下方位置がチャンスゾ−ンとなってゲ−ト６がその時点で特に有利な球受口である旨の情報を遊技者に報知する。
【００４６】
また、遊技球がゲ−ト６を通過して特別入賞口３ａが開放されると、この特別入賞口３ａの位置を指示する「↑」の図柄を点灯表示し、表示体５０の上方位置にチャンスゾ−ンが出現して特別入賞口３ａがその時点で特に有利な球受口である旨の情報を遊技者に報知する。
【００４７】
遊技球が特別入賞口３ａに入賞すると、表示体５０は「？」の図柄を０．２５６秒間点滅表示する。
【００４８】
特別入賞口３ａに入賞して入賞装置Ｎの入賞口２５を通り抜けた入賞球が特別入賞領域３２内に導入されて、特別装置が作動すると、表示体５０は、図１１に示すように始動口１６の位置を上方から下方へ流れ表示して指示する（１）〜（３６）の図柄を、（１）の図柄の切換え時間を０．１２８秒とし、（２）〜（１３）の図柄の切換え時間を０．２５６秒とし、（１４）の図柄の切換え時間を０．２５６秒とし、（３６）の図柄の切換え時間を０．１３６秒として５秒間移動点灯して流れ表示し、表示体５０の下方位置にチャンスゾ−ンが出現して始動口１６がその時点で特に有利な球受口である旨の情報を遊技者に報知する。
【００４９】
遊技球が始動口１６に入賞して下入賞装置７の大入賞口８が開放されると、この大入賞口８が開放されてから閉鎖されるまでの間、表示体５０は「Ｖ」の図柄を点滅表示する。
【００５０】
続いて、上記した構成を有する実施例の作用と効果を説明する。
本例では、遊技盤面１ａに打出された遊技球を受入れる入賞口２５と、入賞球が導入されたときに通常の利益を設定する第１，第２通常入賞領域３０Ａ，３０Ｂと、入賞球が導入されたときに特別の利益を設定する特別入賞領域３２と、入賞球を両通常入賞領域３０Ａ，３０Ｂに至る第１，第２の一般通路３１Ａ，３１Ｂの何れかに振り分ける振り分け部材２７と、受入れた入賞球を特別入賞領域３２へ誘導する特別通路３４を有する球誘導部材３３とを設け、この球誘導部材３３を、この球誘導部材３３が両一般通路３１Ａ，３１Ｂのうちの一方に振り分けられた入賞球の受入れが一般通路に振り分けられた入賞球の受入れが可能となる他方の揺動端位置との間を揺動するように設置してある。
【００５１】
このため、一旦一般通路３１Ａ，３１Ｂに振り分けられた入賞球をその一般通路３１Ａ，３１Ｂの途中で捕捉して特別通路３４へ導入することが可能となるので、一度消滅したかに思われた利益を復旧させて、特別入賞領域３２への入賞態様に関して新規な趣向を加えることができ、利益を受ける状態の成立に対する期待感を維持しながらゲ−ムを進行させることができる。
【００５２】
また、振り分けられた入賞球が一般通路３１Ａ，３１Ｂを通行するタイミングと、球誘導部材３３がその一般通路側の揺動端位置へ揺動するタイミングとが一致すると、特別入賞領域３２への入賞が成立するので、入賞による充足感および会心感を高めてゲ−ムを進行させることができる。
【００５３】
球誘導部材３３をモ−タ３９によって駆動するに際し、球誘導部材３３が１回往復揺動する１往復揺動行程内でモ−タ３９を一時的に停止若しくは変速させることによって球誘導部材３３が入賞球の受入れが可能な状態となる時間と、入賞球の受入れが不能となる時間との比率を変更して振り分けられた入賞球が球誘導部材３３によって特別入賞領域３２へ導入される入賞確率をゲ−ム中に切換えることができる。
【００５４】
モ−タ３９を一時的に停止若しくは変速させて特別入賞領域３２への確率を切換える場合に、例えば特別通路３４の通路入口３４ａが所定の位置例えば揺動端位置，中立位置へ変位したときに、図９に示すようにタイマ手段を作動させてフォトセンサ等の位置検出スイッチの検出信号に基いてモ−タ３９の回転速度を切換える回転速度変更手段をタイマ手段によって設定された時間だけ作動させ、モ−タ３９を一定時間だけ停止若しくは変速させるようにする。
【００５５】
また、所定条件判定手段、例えば、遊技盤の特定の入賞口（始動入賞口，Ｖゾ−ン等）への入賞球を検出した場合に判定信号を出力する所定条件判定手段や、遊技盤の図柄表示装置による図柄の表示結果が特定の図柄となった場合に判定信号を出力する所定条件判定手段を設け、この所定条件判定手段が所定条件を判定した場合には前記位置検出スイッチの機能を有効化したり、前記タイマ手段の機能を有効化したり、モ−タ起動手段およびモ−タ停止手段に作動信号を出力したり、前記回転速度変更手段の機能を有効化するようにしてもよい。
【００５６】
球誘導部材３３の揺動行程の途中でモ−タ３９を一時的に若しくは変速させると、振り分け部材２７によって振り分けられた入賞球が特定入賞領域３２へ導入される確率がゲ−ム進行中に切換えられるので、特別入賞領域３２への振り分け態様に関して新奇な趣向を提供してゲ−ムへの興趣を引起こすことができる。
【図面の簡単な説明】
【図１】  本発明の１実施例を示す遊技盤の正面図である。
【図２】  入賞装置の正面図である。
【図３】  入賞装置の側断面図である。
【図４】  入賞装置の斜視図である。
【図５】  図３のＸ１−Ｘ１線矢視図である。
【図６】  図３のＸ２−Ｘ２線矢視図である。
【図７】  伝動部材の正面図である。
【図８】  球誘導部材の動きを説明する要部の正面図である。
【図９】  モ−タの駆動制御態様を例示するブロック図である。
【図１０】  表示体による表示図柄の表示態様を説明する説明図である。
【図１１】  表示体による表示図柄の他の表示態様を説明する説明図である。
【符号の説明】
１  遊技盤
２５  入賞口
２７  振り分け部材
３０Ａ，３０Ｂ  通常入賞領域
３１Ａ，３１Ｂ  一般通路
３２  特別入賞領域
３３  球誘導部材
３４  特別通路
Ｎ  入賞装置
【図１】
0003755608.tif 000002
【図２】
0003755608.tif 000003
【図３】
0003755608.tif 000004
【図４】
0003755608.tif 000005
【図５】
0003755608.tif 000006
【図６】
0003755608.tif 000007
【図７】
0003755608.tif 000008
【図８】
0003755608.tif 000009
【図９】
0003755608.tif 000010
【図１０】
0003755608.tif 000011
【図１１】
0003755608.tif 000012